(57)【要約】【課題】発光色を容易に可変とする。【解決手段】デジタルカメラ１１には、カメラボディ１２前面に配置された透明な発光窓１６に保護されたＬＥＤ１５が設けられている。ＬＥＤ１５は、青色光を発するチップと、チップのｐｎ接合部を被覆する黄色蛍光体からなるチップカバーとから構成される。チップに電圧差が生じることでｐｎ接合部に電流が流れ、青色光を発する。駆動電流の増加とともにその発光強度も増加する。青色光は、黄色蛍光体からなるチップカバーを透過することで青色とは異なる色として発光窓１６から放射される。その発光色は、その発光強度に応じた青色と黄色の比率の変化により可変となる。ＣＰＵに接続されたＥＥＰＲＯＭには、駆動電流と発光色を数値的に示す発光色温度との関係のテーブルが予め記憶されており、ＣＰＵに接続されたＬＥＤ制御回路は、そのテーブルに従ってＬＥＤ１５の発光状態を制御する。【選択図】図１
2008235423.tif 000002
【特許請求の範囲】
【請求項１】
駆動電流の大小により発光強度が増減する第１色の光を発するＬＥＤチップ、及び前記ＬＥＤチップを被覆してその発光強度の増減に応じて発光色を変化させる第２色のチップカバーからなる発光ダイオードと、
前記発光ダイオードの駆動電流の大きさと前記発光ダイオードの発光色との相関関係を示すテーブルが予め記憶されたメモリと、
前記テーブルに基づいて駆動電流の大きさを制御して前記発光ダイオードの発光色を可変とする発光制御回路と、
を備えたことを特徴とする照明装置。
【請求項２】
前記発光ダイオードの駆動電流はパルス電流であり、
前記発光制御回路は、駆動電流の大きさを固定することにより前記発光ダイオードの発光色を一定に保った上で駆動電流のデューティを制御して前記発光ダイオードの所定時間当たりの発光量を可変とすることを特徴とする請求項１記載の照明装置。
【請求項３】
前記発光ダイオードは複数である請求項１又は２記載の照明装置。
【請求項４】
前記発光制御回路は、前記発光ダイオード総数の駆動電流の大きさを固定することにより前記発光ダイオード総数の発光強度を一定に保った上で発光させる個数を制御することで一つ当たりの駆動電流の大きさを可変とし、前記発光ダイオードの発光色を可変とすることを特徴とする請求項３記載の照明装置。
【請求項５】
前記発光ダイオードは、その温度と発光色との間に相関関係を有し、
前記発光ダイオードの温度を測定する温度計を備え、
前記メモリには、前記発光ダイオードの温度毎の前記テーブルが予め記憶され、
前記発光制御回路は、前記発光ダイオードの温度に応じた制御をすることを特徴とする請求項３又は４記載の照明装置。
【請求項６】
前記発光制御回路は、前記発光ダイオードが発光により所定の温度を超えた場合、発光させる前記発光ダイオードを切り替えることを特徴とする請求項５記載の照明装置。
【請求項７】
前記発光ダイオードの温度を制御する温度制御手段を備えたことを特徴とする請求項５又は６記載の照明装置。
【請求項８】
前記メモリには、個々の発光ダイオード毎の前記テーブルが予め記憶され、
前記発光制御回路は、各テーブルに基づいて個々の発光ダイオードを制御することを特徴とする請求項３乃至７何れか記載の照明装置。
【請求項９】
周囲の色温度を検出する色温度検出手段と、請求項１乃至８何れか記載の照明装置とを備え、
前記発光制御回路は、周囲の色温度に基づいて前記発光ダイオードの発光色を決定すること特徴とする撮影装置。
【請求項１０】
前記発光ダイオードによる本撮影前のプレ発光に基づいて本撮影時の適正露光量を決定する露光量決定手段を備え、
露光条件を可変として適正露光量を得ることを特徴とする請求項９記載の撮影装置。
【請求項１１】
前記露光条件は、ＩＳＯ感度である請求項１０記載の撮影装置。
【請求項１２】
前記露光条件は、シャッタスピードである請求項１０記載の撮影装置。
【請求項１３】
前記露光条件は、絞り値である請求項１０記載の撮影装置。
【請求項１４】
駆動電流の大小により発光強度が増減する第１色の光を発するＬＥＤチップ、及び前記ＬＥＤチップを被覆してその発光強度の増減に応じて発光色を変化させる第２色のチップカバーからなる発光ダイオードを備えた照明装置の発光方法において、
駆動電流の大きさと発光色との相関関係に基づいて駆動電流の大きさを制御して発光色を可変とすることを特徴とする照明装置の発光方法。
【請求項１５】
前記発光ダイオードの駆動電流はパルス電流であり、
駆動電流の大きさを固定することにより発光色を一定に保った上で駆動電流のデューティを制御して前記発光ダイオードの所定時間当たりの発光量を可変とすることを特徴とする請求項１４記載の照明装置の発光方法。
【請求項１６】
前記発光ダイオードは複数であり、
前記発光ダイオード総数の駆動電流の大きさを固定することにより前記発光ダイオード総数の発光強度を一定に保った上で発光させる個数を制御することで一つ当たりの駆動電流の大きさを可変とし、発光色を可変とすることを特徴とする請求項１４又は１５記載の照明装置の発光方法。
【発明の詳細な説明】
【技術分野】
【０００１】
本発明は、発光色を可変とする照明装置及びその発光方法、並びにそれを備えた撮影装置に関する。
【背景技術】
【０００２】
銀塩カメラやデジタルカメラなどの撮影装置の多くは、夜間撮影や逆光撮影が行えるようにストロボ装置を備えている。従来のストロボ装置としては、メインコンデンサに充電された電力をキセノン（Ｘｅ）管に放電させるものが一般的である。しかしながら、このキセノン管を用いたストロボ装置では、メインコンデンサへの充電に待ち時間があり連続撮影が難しい、数ミリ秒程度の瞬間発光しかできず低速シャッタの撮影に適さない、メインコンデンサのサイズは小さくなくカメラボディのコンパクト化に限度がある、発光する光が昼光に近い分光特性を有するので撮影画像が不適切な色となる、などといった問題があった。
【０００３】
一方、最近では、発光ダイオード（ＬＥＤ，light emitting diode）の高輝度化に伴い、ＬＥＤを用いたストロボ装置もある（例えば、特許文献１〜４参照）。ＬＥＤを用いたストロボ装置であればメインコンデンサを不要とし、連続撮影が可能であり、そしてカメラボディのコンパクト化にもなる。また、連続発光が可能であり、低速シャッタの撮影も可能である。
【０００４】
さらに、特許文献１，２記載のストロボ装置のように３色のＬＥＤを用いて発光色を可変とすることで、撮影条件に合わせた色で発光させることができ適切な色の撮影画像を得ることができる。
【特許文献１】特開２００２−１１６５８１号公報
【特許文献２】特開２００６−１３９２９７号公報
【特許文献３】特開２００５−１２１８７２号公報
【特許文献４】特開２００６−１０８９７０号公報
【発明の開示】
【発明が解決しようとする課題】
【０００５】
しかしながら、ＬＥＤは品質のバラツキが大きいため、特許文献１，２記載のストロボ装置のように３色のＬＥＤを制御することは容易ではなく、精度良く製造するにはコスト面に問題がある。
【０００６】
また、特許文献３記載のストロボ装置は、ＬＥＤの品質のバラツキを抑える構成であるが、発光色を可変とするものではない。さらに、特許文献４記載のストロボ装置は、発光量を可変とする構成であるが、発光色を可変とするものではない。
【０００７】
本発明は、上記課題を解決するためのものであり、発光色を容易に可変とする照明装置及びその発光方法、並びにそれを備えた撮影装置を提供することを目的とする。
【課題を解決するための手段】
【０００８】
上記目的を達成するために、本発明の照明装置は、駆動電流の大小により発光強度が増減する第１色の光を発するＬＥＤチップ、及びＬＥＤチップを被覆してその発光強度の増減に応じて発光色を変化させる第２色のチップカバーからなる発光ダイオードと、発光ダイオードの駆動電流の大きさと発光ダイオードの発光色との相関関係を示すテーブルが予め記憶されたメモリと、テーブルに基づいて駆動電流の大きさを制御して発光ダイオードの発光色を可変とする発光制御回路と、を備えたことを特徴とする。
【０００９】
なお、発光ダイオードの駆動電流はパルス電流であり、発光制御回路は、駆動電流の大きさを固定することにより発光ダイオードの発光色を一定に保った上で駆動電流のデューティを制御して発光ダイオードの所定時間当たりの発光量を可変とすることが好ましい。
【００１０】
また、発光ダイオードは複数であり、発光制御回路は、発光ダイオード総数の駆動電流の大きさを固定することにより発光ダイオード総数の発光強度を一定に保った上で発光させる個数を制御することで一つ当たりの駆動電流の大きさを可変とし、発光ダイオードの発光色を可変とすることが好ましい。
【００１１】
また、発光ダイオードは、その温度と発光色との間に相関関係を有し、発光ダイオードの温度を測定する温度計を備え、メモリには、発光ダイオードの温度毎のテーブルが予め記憶され、発光制御回路は、発光ダイオードの温度に応じた制御をすることが好ましい。
【００１２】
また、発光制御回路は、発光ダイオードが発光により所定の温度を超えた場合、発光させる発光ダイオードを切り替えることが好ましい。
【００１３】
また、発光ダイオードの温度を制御する温度制御手段を備えたことが好ましい。
【００１４】
また、メモリには、個々の発光ダイオード毎のテーブルが予め記憶され、発光制御回路は、各テーブルに基づいて個々の発光ダイオードを制御することが好ましい。
【００１５】
本発明の撮影装置は、周囲の色温度を検出する色温度検出手段と、上記照明装置とを備え、発光制御回路は、周囲の色温度に基づいて発光ダイオードの発光色を決定すること特徴とする。
【００１６】
なお、発光ダイオードによる本撮影前のプレ発光に基づいて本撮影時の適正露光量を決定する露光量決定手段を備え、露光条件を可変として適正露光量を得ることが好ましい。露光条件としては、ＩＳＯ感度、シャッタスピード、絞り値などが挙げられる。
【００１７】
本発明の発光方法は、駆動電流の大小により発光強度が増減する第１色の光を発するＬＥＤチップ、及びＬＥＤチップを被覆してその発光強度の増減に応じて発光色を変化させる第２色のチップカバーからなる発光ダイオードを備えた照明装置の発光方法であって、駆動電流の大きさと発光色との相関関係に基づいて駆動電流の大きさを制御して発光色を可変とすることを特徴とする。
【００１８】
なお、発光ダイオードの駆動電流はパルス電流であり、駆動電流の大きさを固定することにより発光色を一定に保った上で駆動電流のデューティを制御して発光ダイオードの所定時間当たりの発光量を可変とすることが好ましい。
【００１９】
また、発光ダイオードは複数であり、発光ダイオード総数の駆動電流の大きさを固定することにより発光ダイオード総数の発光強度を一定に保った上で発光させる個数を制御することで一つ当たりの駆動電流の大きさを可変とし、発光色を可変とすることが好ましい。
【発明の効果】
【００２０】
本発明の照明装置によれば、第１色の光を発するＬＥＤチップ、及びそれを被覆してその発光強度の増減に応じて発光色を変化させる第２色のチップカバーからなる発光ダイオードと、駆動電流の大きさと発光色との相関関係を示すテーブルが予め記憶されたメモリと、そのテーブルに基づいて駆動電流の大きさを制御して発光色を可変とする発光制御回路とを備えており、容易に発光色を可変とすることができる。
【００２１】
また、発光制御回路は、駆動電流の大きさを固定することにより発光ダイオードの発光色を一定に保った上で駆動電流のデューティ制御をするので、発光ダイオードの所定時間当たりの発光量を可変とすることができる。
【００２２】
また、発光ダイオードは複数であり、発光制御回路は、発光ダイオード総数の駆動電流の大きさを固定した上で発光させる個数を制御することで一つ当たりの駆動電流の大きさを可変とするので、発光ダイオード総数の発光強度を一定に保った上で発光ダイオード発光色を可変とすることができる。
【００２３】
また、発光ダイオードの温度を測定する温度計を備え、メモリには、発光ダイオードの温度毎のテーブルが予め記憶され、発光制御回路は、発光ダイオードの温度に応じた制御をするので、温度に影響を受けることなく発光ダイオードを発光させることができる。
【００２４】
また、発光制御回路は、発光ダイオードが発光により所定の温度を超えた場合、発光させる発光ダイオードを切り替えるので、発光ダイオードが過熱することはなく、温度に影響を受けることなく発光ダイオードを発光させることができる。
【００２５】
また、発光ダイオードの温度を制御する温度制御手段を備えているので、発光により温度変化することなく発光ダイオードを安定した色で発光させることができる。逆に、駆動電流の大きさを一定とした上で発光ダイオードの温度を外部から制御することで、発光色を可変とすることができる。
【００２６】
また、メモリには、個々の発光ダイオード毎のテーブルが予め記憶され、発光制御回路は、各テーブルに基づいて個々の発光ダイオードを制御するので、発光ダイオード個々の品質のバラツキに影響を受けることなく安定した色で発光させることができる。
【００２７】
本発明の撮影装置によれば、周囲の色温度を検出する色温度検出手段と、上記照明装置とを備え、発光制御回路は、周囲の色温度に基づいて発光ダイオードの発光色を決定するので、周囲の色温度に基づいた色で発光ダイオードを発光させることで適切な色の撮影画像を得ることができる。
【００２８】
なお、発光ダイオードによる本撮影前のプレ発光に基づいて本撮影時の適正露光量を決定する露光量決定手段を備え、ＩＳＯ感度、シャッタスピード、絞り値などの露光条件を可変とするので、発光量に影響を受けることなく適正露光量を得ることができる。
【発明を実施するための最良の形態】
【００２９】
以下、本発明のデジタルカメラ１１について、図面を参照しながら説明する。図１に示すように、デジタルカメラ１１のカメラボディ１２前面には、撮影レンズ１３が組み込まれたレンズ鏡筒１４、撮影に同期して発光する発光ダイオード（ＬＥＤ）１５を保護する透明な発光窓１６、及びカメラボディ１２周囲の色温度を検出する色温度センサ１７が設けられている。
【００３０】
カメラボディ１２の上面には、デジタルカメラ１１の電源状態を切り替える電源スイッチ１８、シャッタレリーズ操作に用いられるシャッタボタン１９、及びモードの切替え時に操作されるモード切替えスイッチ２０が設けられている。シャッタボタン１９は、２段階の押しボタンとなっており、一定ストローク押圧（半押し）されると、自動焦点調整（ＡＦ）や自動露出調整（ＡＥ）などの各種撮影準備処理が実行される。この半押しされた状態から更に一定ストローク押圧（全押し）されると、デジタルカメラ１１に撮影実行の指示を出し、撮影準備処理が施された１画面分の撮像信号が画像データに変換される。モード切替えスイッチ２０は、操作されることで静止画撮影を実行する静止画撮影モードと撮影した画像を再生表示する再生モードとを切り替える。
【００３１】
レンズ鏡筒１４は沈胴式になっており、デジタルカメラ１１が電源ＯＦＦ状態にある際に、カメラボディ１２の前面に設けられた鏡筒収納部２１内に収納され、電源ＯＮとともにカメラボディ１２の前面から突出して、広角端で停止する。
【００３２】
図２に示すように、カメラボディ１２の背面には、液晶表示ディスプレー（ＬＣＤ）２２、及び操作部２３が設けられている。ＬＣＤ２２には、撮影した画像や撮影待機時のいわゆるスルー画像、及び各種のメニュー画面などが表示される。操作部２３は、ズーム操作ボタン２４、メニューボタン２５、十字キー２６、及びサブボタン２７から構成される。
【００３３】
ズーム操作ボタン２４は、撮影レンズ１３を広角側若しくは望遠側に変倍する際に操作される。メニューボタン２５は、ＬＣＤ２２にメニュー画面を表示させる際や選択内容を決定する際などに操作される。十字キー２６は、メニュー画面内のカーソルを移動させる際などに操作される。サブボタン２７は、種々の選択や設定の際に操作される。
【００３４】
また、カメラボディ１２の内側には、被写体に向けて光を照射する発光ユニット３１が組み込まれており、その照射光は、発光窓１６を透過して被写体に照射される。図３（Ａ）及び図３（Ｂ）に示すように、発光ユニット３１は、ＬＥＤ１５、固定板３２、ペルチェ素子３３、放熱板３４、及び温度センサ３５から構成される。
【００３５】
固定板３２は、ＬＥＤ１５をカメラボディ１２内に固定する取付け部材であり、一方の面にペルチェ素子３３が敷き詰められ、さらに円板形状の放熱板３４が設けられている。そして放熱板３４の表面には、１６個のＬＥＤ１５が４×４の正方格子状に配置されている。各ＬＥＤ１５は、ＬＥＤ制御回路８１（図７参照）によって発光状態が制御される。詳しくは後述するが、発光状態には、発光するＬＥＤ１５の個数、発光色温度、瞬間的な光の強さを示す発光強度、所定時間当たりの光の分量を示す発光量などが挙げられる。なお、ＬＥＤ１５の個数は、１６個に限定されるものではない。
【００３６】
図４に示すように、ＬＥＤ１５は、プラス側のチップ４１と、マイナス側のチップ４２と、チップ（ＬＥＤチップ）４１，４２のｐｎ接合部４１ａ，４２ａを被覆するチップカバー４３とから構成される。チップカバー４３は、例えばＹＡＧ系の黄色（第２色）蛍光体からなる。なお、ここでいう黄色の蛍光体からなるチップカバー４３とは、ｐｎ接合部４１ａ，４２ａを黄色の蛍光体で覆うものであれば良く、透明材料からなるチップカバーの表面が黄色の蛍光体で覆われている場合を含む。
【００３７】
ＬＥＤ１５は、プラス側のチップ４１とマイナス側のチップ４２との間に電圧差が生じることでｐｎ接合部４１ａ，４２ａに電流が流れ、青色（第１色）の光を発する。電流の増加とともにその発光強度も増加する。その青色光は、黄色の蛍光体からなるチップカバー４３を透過することで青色とは異なる色として放射される。つまり、ＬＥＤ１５から放射される光の色は、その発光強度に応じた青色と黄色との比率の変化により可変となる。
【００３８】
ところで、ＬＥＤ１５は発光する際に発熱するが、その熱は放熱板３４を介してペルチェ素子３３に伝わる。ペルチェ素子３３は、周知のように直流電流の投入により一方の面すなわち吸熱面の熱を他方の面に移動させることで、吸熱面側を冷却することができるものであり、放熱板３４から伝わる熱を固定板３２へと排出することでＬＥＤ１５の過熱を防止する。
【００３９】
また、各ＬＥＤ１５には、温度センサ３５が設けられており、温度センサ３５で測定される温度に応じて発光状態が制御されている。ＬＥＤ１５の温度が最大許容温度に達した場合、発光するＬＥＤ１５は切り替わる。温度センサ３５としては、周知のサーミスタなどを用いれば良い。以下説明の都合上、各ＬＥＤ１５はそれぞれ、左上から右へ順に１５ａ〜１５ｄ、一段下についても左から右へ順に１５ｅ〜１５ｈ、以下同様に１５ｉ〜１５ｌ，１５ｍ〜１５ｐとも表示する。
【００４０】
例えば、４個のＬＥＤ１５が発光する場合、先ず、図５（Ａ）に示すようにＬＥＤ１５ａ，１５ｄ，１５ｍ，１５ｐが発光する。発光に伴う発熱によりＬＥＤ１５ａ，１５ｄ，１５ｍ，１５ｐの温度は図６（Ａ）に示すように上昇する。その温度が最大許容温度に達すると、図５（Ｂ）に示すように発光するＬＥＤは１５ｃ，１５ｅ，１５ｌ，１５ｎに切り替わる。発光に伴う発熱によりＬＥＤ１５ｃ，１５ｅ，１５ｌ，１５ｎの温度は図６（Ｂ）に示すように上昇する。一方で発光を止めたＬＥＤ１５ａ，１５ｄ，１５ｍ，１５ｐの温度は図６（Ａ）に示すように下降を開始する。
【００４１】
ＬＥＤ１５ｃ，１５ｅ，１５ｌ，１５ｎの温度が最大許容温度に達すると、図５（Ｃ）に示すように発光するＬＥＤは１５ｂ，１５ｈ，１５ｉ，１５ｏに切り替わる。発光に伴う発熱によりＬＥＤ１５ｂ，１５ｈ，１５ｉ，１５ｏの温度は図６（Ｃ）に示すように上昇する。一方で発光を止めたＬＥＤ１５ｃ，１５ｅ，１５ｌ，１５ｎの温度は図６（Ｂ）に示すように下降を開始する。
【００４２】
ＬＥＤ１５ｂ，１５ｈ，１５ｉ，１５ｏの温度が最大許容温度に達すると、図５（Ｄ）に示すように発光するＬＥＤは１５ｆ，１５ｇ，１５ｊ，１５ｋに切り替わる。発光に伴う発熱によりＬＥＤ１５ｆ，１５ｇ，１５ｊ，１５ｋの温度は図６（Ｄ）に示すように上昇する。一方で発光を止めたＬＥＤ１５ｂ，１５ｈ，１５ｉ，１５ｏの温度は図６（Ｃ）に示すように下降を開始する。
【００４３】
ＬＥＤ１５ｆ，１５ｇ，１５ｊ，１５ｋの温度が最大許容温度に達すると、図５（Ａ）に示すように発光するＬＥＤは再度１５ａ，１５ｄ，１５ｍ，１５ｐに切り替わる。発光に伴う発熱によりＬＥＤ１５ａ，１５ｄ，１５ｍ，１５ｐの温度は図６（Ａ）に示すように再度上昇する。一方で発光を止めたＬＥＤ１５ｆ，１５ｇ，１５ｊ，１５ｋの温度は図６（Ｄ）に示すように下降を開始する。このように、最大許容温度に達する都度、発光するＬＥＤ１５は順次切り替わり、ＬＥＤ１５の温度は最大許容温度を超えないようになっている。なお、複数のＬＥＤ１５が互いの温度に影響されることを防止するため、上記例のように、互いに間隔を置いたＬＥＤ１５を同時に発光させるように制御することが好まれる。
【００４４】
図７に示すように、カメラボディ１２（図１参照）内には、ズームレンズ５１、絞り５２、フォーカスレンズ５３、及びＣＣＤイメージセンサ５４が設けられている。ズームレンズ５１は、変倍用レンズモータ５５の駆動によって変倍する。絞り５２は、アイリスモータ５６の駆動によって口径を変える。フォーカスレンズ５３は、合焦用レンズモータ５７の駆動によってピントを調整する。これらモータ５５〜５７は、ＣＰＵ６１に接続されたモータドライバ６２を介して駆動が制御される。なお、上述した撮影レンズ１３（図１参照）は、ズームレンズ５１、絞り５２、及びフォーカスレンズ５３によって構成される。
【００４５】
ＣＣＤイメージセンサ５４は、撮影レンズ１３により結像する被写体像を撮像する。ＣＣＤイメージセンサ５４には、ＣＰＵ６１によって制御されるタイミングジェネレータ（ＴＧ）６３が接続され、このＴＧ６３から入力されるタイミング信号（クロックパルス）により、電子シャッタのシャッタ速度が決定される。
【００４６】
ＣＣＤイメージセンサ５４から得られる撮像信号は、ＣＤＳ（相関二重サンプリング回路）６４、ＡＭＰ（増幅器）６５に入力される。ＣＤＳ６４は、ＣＣＤイメージセンサ５４の各セルの蓄積電荷量に正確に対応したＲ，Ｇ，Ｂの画像データを出力し、ＡＭＰ６５は、画像データを増幅する。増幅された画像データは、Ａ／Ｄ変換器６６でデジタル信号に変換される。
【００４７】
画像入力コントローラ６７は、データバス６８を介してＣＰＵ６１に接続され、ＣＰＵ６１の制御命令に応じてＣＣＤイメージセンサ５４、ＣＤＳ６４、ＡＭＰ６５、及びＡ／Ｄ変換器６６を制御する。Ａ／Ｄ変換器６６から出力される画像データは、所定間隔毎に出力され、ＳＤＲＡＭ６９に一時的に格納される。ＳＤＲＡＭ６９は、作業用メモリである。
【００４８】
画像信号処理回路７０は、ＳＤＲＡＭ６９から画像データを読み出して、階調変換、ホワイトバランス（ＷＢ）補正、γ補正などの各種画像処理を施し、この画像データを再度ＳＤＲＡＭ６９に格納する。ＹＣ変換処理回路７１は、画像信号処理回路７０で各種処理の施された画像データをＳＤＲＡＭ６９から読み出して、輝度信号Ｙと色差信号Ｃｒ，Ｃｂとに変換する。
【００４９】
ＶＲＡＭ６２は、ＬＣＤ２２にスルー画像を出力するためのメモリであり、画像信号処理回路７０、ＹＣ変換処理回路７１を経た画像データが格納される。このＶＲＡＭ７２には、画像データの書込みと読出しとを並行して行えるように、２フレーム分のメモリが確保されている。ＶＲＡＭ７２に格納された画像データは、ＬＣＤドライバ７３でアナログのコンポジット信号に変換され、ＬＣＤ２２にスルー画像として表示される。
【００５０】
圧縮伸長処理回路７４は、ＹＣ変換処理回路７１でＹＣ変換された画像データに対して、所定の圧縮形式（例えば、ＪＰＥＧ形式）で画像圧縮を施す。圧縮された画像データは、メディアコントローラ７５を経由して記録媒体であるメモリカード７６に記録される。再生モードのときには、メモリカード７６から画像データが圧縮伸長処理回路７４に読み出され、圧縮伸長処理回路７４で伸長処理が施された後にＬＣＤ２２に記録画像が表示される。
【００５１】
ＣＰＵ６１には、上述した電源スイッチ１８、シャッタボタン１９、及び操作部２３の他に、ＥＥＰＲＯＭ７７が接続されている。ＥＥＰＲＯＭ７７には、各種制御用プログラムや設定情報などが記録されている。ＣＰＵ６１は、これらの情報をＥＥＰＲＯＭ７７からＳＤＲＡＭ６９に読み出して、各種処理を実行する。
【００５２】
データバス６８には、ズームレンズ５１の合焦位置が適切か否かを検出するＡＦ検出回路７８と、ＣＣＤイメージセンサ５４の電子シャッタのシャッタ速度、撮影感度、及び絞り５２の絞り値といった露光条件が撮影に適切か否かを検出するＡＥ検出回路７９と、ホワイトバランス補正が撮影に適切か否かを検出するＡＷＢ検出回路８０とが接続されている。
【００５３】
各検出回路７８〜８０は、データバス６８を介してＣＰＵ６１に検出結果を逐次送信する。ＣＰＵ６１は、各検出回路７８〜８０から送信される検出結果に基づいて、ズームレンズ５１、絞り５２、フォーカスレンズ５３、ＣＣＤイメージセンサ５４などの動作を個別に制御する。
【００５４】
ＡＦ検出回路７８は、コントラスト検出方式によりフォーカス制御を行う。先ず、画像の合焦状態を評価するために予め設定された１つ又は複数の合焦評価領域（ＡＦエリア）に基づいて画像成分を抽出し、コントラスト値を求める。そして、このコントラスト値に基づいて被写体までの撮影距離を算出し、フォーカスレンズ５３の合焦位置を決定する。なお、静止画撮影モードでは、シャッタボタン１９が半押しされると、フォーカス制御が行われる。
【００５５】
ＡＥ・ＡＷＢ検出回路７９，８０は、所定間隔毎にＶＲＡＭ７２に格納された画像データの輝度情報に基づいて適正な露光値、及びホワイトバランスの補正量を算出し、これらの情報をＣＰＵ６１に送る。ＣＰＵ６１は、得られる情報に基づいて電子シャッタ、絞り５２、及び画像処理の制御を連続的に行う。
【００５６】
データバス６８には、上記各検出回路７８〜８０の他、カメラボディ１２周囲の色温度を検出する色温度センサ１７と、ＬＥＤ１５の温度を測定する温度センサ３５と、ＬＥＤ１５の発光状態を制御するＬＥＤ制御回路８１とが接続されている。各センサ１７，３５は、データバス６８を介してＣＰＵ６１に検出結果や測定結果を逐次送信する。ＣＰＵ６８は、各センサ１７，３５から送信される検出結果又は測定結果に基づいて、各種制御をする。なお、色温度センサ１７には、周知のフォトセンサなどを用いれば良く、ここでは詳しい説明は省略する。
【００５７】
ＬＥＤ制御回路８１は、ＬＥＤ１５の発光状態を制御して撮影に同期して発光させる。具体的には、複数のＬＥＤ１５に投入するトータルとしての駆動電流の大きさを固定した上で発光させる個数を制御することでＬＥＤ１５一つ当たりの駆動電流の大きさを可変とする。駆動電流の大きさ［ｍＡ］と、発光色を数値的に示す発光色温度［Ｋ］との関係は、表１のテーブルに示すように、例えば１０００［ｍＡ］のとき７５００［Ｋ］、７５０［ｍＡ］のとき７０００［Ｋ］、５００［ｍＡ］のとき６５００［Ｋ］、３５０［ｍＡ］のとき５９００［Ｋ］、２５０［ｍＡ］のとき５５０［Ｋ］となる。ここでは、各駆動電流［ｍＡ］の間隔を１００［ｍＡ］〜２５０［ｍＡ］としたが、例えばその間隔を１０［ｍＡ］毎であったり、さらに細かくしたりしても良い。
【００５８】
なお、駆動電流の大きさ［ｍＡ］と発光色温度［Ｋ］との関係は個々のＬＥＤ１５によって異なり、またその関係は、一つのＬＥＤ１５においてもその温度状態により異なる。温度状態により異なるのは、光の波長がシフトすること、駆動電流に対する電圧値［Ｖ］が変化すること、黄色蛍光体からなるチップカバー４３の光の透過率が変化することなどが理由として挙げられる。ＥＥＰＲＯＭ７７には、個々のＬＥＤ１５毎であってその温度状態毎に、駆動電流の大きさ［ｍＡ］と発光色温度［Ｋ］との関係を示すテーブルが予め記憶されており、ＬＥＤ制御回路８１は、そのテーブルに従ってＬＥＤ１５の発光状態を制御する。
【００５９】
【表１】
2008235423.tif 000003
【００６０】
上記制御により、複数のＬＥＤ１５トータルとして発光強度を一定としながら、ＬＥＤ１５の発光色を可変とすることができる。例えば、複数のＬＥＤ１５に投入するトータルとしての駆動電流の大きさを４０００［ｍＡ］に固定することで発光強度を一定に保った上で発光させる個数を制御した場合、次のようになる。
【００６１】
図８（Ａ）に示すように１６個のＬＥＤ１５を発光させると、ＬＥＤ１５一つ当たりに投入される駆動電流の大きさは２５０（＝４０００／１６）［ｍＡ］であり、ＬＥＤ１５の発光色温度は５５００［Ｋ］となる。また、図８（Ｂ）に示すように１２個のＬＥＤ１５を発光させると、ＬＥＤ１５一つ当たりに投入される駆動電流の大きさは凡そ３５０（≒４０００／１２）［ｍＡ］であり、ＬＥＤ１５の発光色温度は５９００［Ｋ］となる（表１参照）。同様に、図８（Ｃ）に示すように８個のＬＥＤ１５を発光させると、ＬＥＤ１５一つ当たりに投入される駆動電流の大きさは５００（＝４０００／８）［ｍＡ］であり、ＬＥＤ１５の発光色温度は６５００［Ｋ］となる。また、図８（Ｄ）に示すように４個のＬＥＤ１５を発光させると、ＬＥＤ１５一つ当たりに投入される駆動電流の大きさは１０００（＝４０００／４）［ｍＡ］であり、ＬＥＤ１５の発光色温度は７５００［Ｋ］となる。
【００６２】
また、ＬＥＤ制御回路８１は、上述したように、各ＬＥＤ１５の温度を考慮して、発光させるＬＥＤ１５を順次切り替える制御もしている（図５（Ａ）、図５（Ｂ）、図５（Ｃ）、及び図５（Ｄ）参照）。
【００６３】
以下、本発明のデジタルカメラ１１（図１及び図２参照）の作用について図面を参照しながら説明する。デジタルカメラ１１により撮影される場合、先ず、電源スイッチ１８が操作され、電源がＯＮに設定される。電源がＯＮに設定されることで、ＬＣＤ２２にはスルー画像が表示され、ユーザはスルー画像を見ながら構図を決定することができる。
【００６４】
図９に示すように、シャッタボタン１９が半押しされることで、ＡＦ，ＡＥなどの各種撮影準備処理が実行される。撮影準備処理には、撮影時におけるＬＥＤ１５の発光色などを決定する露光条件決定処理が含まれる。露光条件決定処理では、先ず、温度センサ１７によりカメラボディ１２周囲の色温度を検出する。そして、任意条件の下でＬＥＤ１５をプレ発光させながら再度温度センサ１７によりカメラボディ１２周囲の色温度を検出する。プレ発光前及びプレ発光時におけるカメラボディ１２周囲の色温度を比較して本撮影時の発光色及び露光量を決定する。
【００６５】
そのままシャッタボタン１９が全押しされることで、撮影準備処理で決定された条件の下ＬＥＤ１５の発光とともに撮影が実行される。なお、露光量は、ＬＥＤ１５の発光量のみならず、ＩＳＯ感度、シャッタスピード、絞り値などによって調整される。
【００６６】
なお、上記実施形態において、ＬＥＤ１５の発光状態の制御方法として、複数のＬＥＤ１５に投入するトータルとしての駆動電流の大きさを固定した上で発光させる個数を制御して、ＬＥＤ１５一つ当たりの駆動電流の大きさを可変とする場合を例に説明したが、これに限定されるのではない。ＬＥＤ１５の駆動電流がパルス電流である場合には、例えば、各ＬＥＤ１５に投入する駆動電流の大きさを固定することにより発光強度を一定に保った上でそのデューティを制御して、ＬＥＤ１５の時間当たりの発光量を可変としても良い。これにより、ＬＥＤ１５の発光色を一定としながら、ＬＥＤ１５の時間当たりの発光量を可変とすることができる。
【００６７】
例えば、図１０（Ａ）に示すように一回あたりの発光スパンを０．４［ｓ］としてその半分の０．２［ｓ］を投入時間とすることで、常時駆動電流が投入される場合（基準発光量）の５０％の発光量とすることができる。そうした上で、図１０（Ｂ）に示すように発光スパンを０．４［ｓ］と固定した上で投入時間を半分の０．１［ｓ］とすることで、基準発光量２５％の発光量とすることができる。なお、駆動電流のデューティの制御方法は、発光スパンを固定した上で駆動電流の投入時間を変化させる場合に限定されず、投入時間を固定した上で発光スパンを変化させても良い。図１０（Ｃ）に示すように投入時間を０．２［ｓ］と固定した上で発光スパンを２倍の０．８［ｓ］とすることで、基準発光量の２５％の発光量とすることもできる。なお、図１０（Ａ）、図１０（Ｂ）、及び図１０（Ｃ）において、面積が発光量と比例している。
【００６８】
また、ＬＥＤ制御回路８１は、ＬＥＤ１５に投入する駆動電流の大きさに応じてそのデューティを制御することで、ＬＥＤ１５の発光量を一定とした上でＬＥＤ１５の発光色を可変とするができる。具体的には、駆動電流の大きさを半分にした場合、そのデューティを２倍にすることで、発光量を一定としたまま発光色を変化させることができる。例えば、図１１（Ａ）に示すように１０００［ｍＡ］の駆動電流が１２．５％のデューティで投入されていたとする。ここで、図１１（Ｂ）に示すように駆動電流の大きさを半分の５００［ｍＡ］にするとともにそのデューティを２倍の２５％にすることで、発光量を一定に保ったまま発光色を変化させることができる。さらに、図１１（Ｃ）に示すように駆動電流の大きさを半分の２５０［ｍＡ］にするとともにそのデューティを２倍の５０％にすることで、発光量を一定に保ったまま発光色を変化させることができる。なお、図１１（Ａ）、図１１（Ｂ）、及び図１１（Ｃ）において、面積が発光量と比例している。
【００６９】
また、ＬＥＤ１５の発光状態の制御方法として、ＬＥＤ１５に投入する駆動電流の大きさを固定した上でＬＥＤ１５の温度を外部から制御して、ＬＥＤ１５の発光色を可変としても良い。この場合、ＬＥＤ１５の温度制御手段として冷却用のペルチェ素子３３に併せて加熱用の発熱体などを設けることで実現される。
【００７０】
また、上記実施形態において、互いに間隔を置いたＬＥＤ１５を同時に発光させる場合（図５（Ａ）、図５（Ｂ）、図５（Ｃ）、及び図５（Ｄ）参照）を例に説明したが、これに限定されず、個々の品質のバラツキを考慮した組み合わせのＬＥＤ１５を同時に発光させても良い。これにより、組み合わせ毎のバラツキ量を小さくすることが可能となる。
【００７１】
例えば、所定の大きさの駆動電流を投入したときに生じる各ＬＥＤ１５の電圧値［Ｖ］のバラツキを考慮して、電圧値［Ｖ］の合計が近くなる組み合わせ毎に発光させる制御方法が挙げられる。各ＬＥＤ１５に対して５００［ｍＡ］の大きさの駆動電流を投入した場合の電圧値［Ｖ］の値は、表２に示すように、例えばＬＥＤ１５ａ，１５ｂ，１５ｃ，１５ｅは３．５［Ｖ］、ＬＥＤ１５ｄ，１５ｆ，１５ｇ，１５ｉは３．６［Ｖ］、ＬＥＤ１５ｈ，１５ｊ，１５ｋ，１５ｌは３．７［Ｖ］、１５ｍ，１５ｎ，１５ｏ，１５ｐは３．８［Ｖ］であるとする。
【００７２】
【表２】
2008235423.tif 000004
【００７３】
このとき、図１２（Ａ）に示すＬＥＤ１５ｂ，１５ｆ，１５ｈ，１５ｏの組み合わせは合計電圧が１４．６（＝３．５＋３．６＋３．７＋３．８）［Ｖ］である。また、図１２（Ｂ）に示すＬＥＤ１５ｃ，１５ｉ，１５ｋ，１５ｐの組み合わせは合計電圧が１４．６（＝３．５＋３．６＋３．７＋３．８）［Ｖ］である。同様に、図１２（Ｃ）に示すＬＥＤ１５ｅ，１５ｇ，１５ｌ，１５ｍの組み合わせは合計電圧が１４．６（＝３．５＋３．６＋３．７＋３．８）［Ｖ］であり、図１２（Ｄ）に示すＬＥＤ１５ａ，１５ｄ，１５ｊ，１５ｎの組み合わせは合計電圧が１４．６（＝３．５＋３．６＋３．７＋３．８）［Ｖ］である。これらの組み合わせ毎にＬＥＤ１５順次切り替えて発光させることで、個々の品質にバラツキがある場合でも、ムラのない発光状態とすることができる。
【００７４】
また、上記実施形態において、発光ユニット３１は、カメラボディ１２に組み込まれている場合を例に説明したが、これに限定されず、カメラボディに着脱自在に取り付けられるのでも良い。また、発光ユニット３１は、デジタルカメラ１１に用いられる場合に限定されず、ビデオカメラその他の光学機器に用いられても良く、さらには、照明装置単体として用いられても良い。
【００７５】
また、上記実施形態において、ＬＥＤ１５は、青色光を発するチップ４１，４２と黄色の蛍光体からなるチップカバー４３とから構成される場合を例に説明したが、この色の組み合わせに限定されるのではなく、種々の組み合わせであって良い。例えば、青色光を発するチップと緑色や赤色の蛍光体からなるチップカバーとの組み合わせや、緑色光を発するチップと青色や赤色の蛍光体からなるチップカバーとの組み合わせなどが挙げられる。
【００７６】
さらに、同一色のＬＥＤのみを構成に含む場合に限定されず、例えば、青色光を発するチップと黄色の蛍光体からなるチップカバーとのＬＥＤ、緑色光を発するチップと赤色の蛍光体からなるチップカバーとのＬＥＤ、赤色光を発するチップと青色の蛍光体からなるチップカバーとのＬＥＤなど複数種の組み合わせであっても良い。
【図面の簡単な説明】
【００７７】
【図１】デジタルカメラの外観斜視図である。
【図２】デジタルカメラの背面図である。
【図３】発光部の側面図及び正面図である。
【図４】ＬＥＤの断面図である。
【図５】発光状態を説明するＬＥＤの正面図である。
【図６】ＬＥＤの温度の時刻歴を示す図である。
【図７】デジタルカメラの電気的構成を示すブロック図である。
【図８】発光状態を説明するＬＥＤの正面図である。
【図９】デジタルカメラの作用を説明するフローチャートである。
【図１０】ＬＥＤに投入される駆動電流の時刻歴を示す図である。
【図１１】ＬＥＤに投入される駆動電流の時刻歴を示す図である。
【図１２】発光状態を説明するＬＥＤの正面図である。
【符号の説明】
【００７８】
１１  デジタルカメラ
１５  発光ダイオード（ＬＥＤ）
３３  ペルチェ素子
３５  温度センサ（温度計）
４１，４２  チップ（ＬＥＤチップ）
４３  チップカバー
７９  ＡＥ検出回路
８０  ＡＷＢ検出回路
８１  ＬＥＤ制御回路
【図１】
2008235423.tif 000005
【図２】
2008235423.tif 000006
【図３】
2008235423.tif 000007
【図４】
2008235423.tif 000008
【図５】
2008235423.tif 000009
【図６】
2008235423.tif 000010
【図７】
2008235423.tif 000011
【図８】
2008235423.tif 000012
【図９】
2008235423.tif 000013
【図１０】
2008235423.tif 000014
【図１１】
2008235423.tif 000015
【図１２】
2008235423.tif 000016